(57)【要約】【課題】オリジナルプログラムチェーンのシーンとユーザ定義プログラムチェーンのシーンとの間で関連性が失われてしまった場合でも、オリジナルプログラムチェーンとユーザ定義プログラムチェーンのシーンとの間の整合性をとることが可能な映像編集方法、及び映像編集装置を提供する。【解決手段】ＵＤ＿ＰＧＣ解析部２０６が、オリジナルプログラムチェーンに対するユーザ定義プログラムチェーンからの参照状況を解析して解析結果を出力し、ＯＲＧ＿ＰＧＣ編集部２０７が前記解析ステップによって出力された解析結果をもとに前記オリジナルプログラムチェーンを編集する。【選択図】図２
2006186424.tif 000002
【特許請求の範囲】
【請求項１】
記録媒体に記録されたデジタル映像を編集する映像編集方法において、
記録媒体から、該記録媒体に記録された、デジタル映像の全再生区間の再生を特定するオリジナルプログラムチェーン、及び少なくとも一部再生区間の再生を特定するユーザ定義プログラムチェーンを読み出すデータ読出しステップと、
前記オリジナルプログラムチェーンに対する前記ユーザ定義プログラムチェーンからの参照状況を解析して、その解析結果を出力する解析ステップと、
前記解析ステップにより出力された解析結果に基づき、前記オリジナルプログラムチェーンを編集する編集ステップと、を有する、
ことを特徴とする映像編集方法。
【請求項２】
請求項１に記載の映像編集方法において、
前記解析結果は、前記ユーザ定義プログラムチェーンが前記オリジナルプログラムチェーンを参照する区間を特定する区間情報を含むものであり、
前記編集ステップは、前記オリジナルプログラムチェーンの再生区間を、前記区間情報により特定される地点で分割する、
ことを特徴とする映像編集方法。
【請求項３】
請求項２に記載の映像編集方法において、
前記編集ステップは、前記区間情報により特定される地点で、再生のエントリを示すエントリポイント情報を付与することにより、前記オリジナルプログラムチェーンの再生区間を分割する、
ことを特徴とする映像編集方法。
【請求項４】
請求項２または請求項３に記載の映像編集方法において、
前記編集ステップは、分割された前記オリジナルプログラムチェーンを分割前の状態に復元するための情報を、前記オリジナルプログラムチェーンに付与する、
ことを特徴とする映像編集方法。
【請求項５】
請求項４に記載の映像編集方法において、
前記編集ステップは、分割された前記オリジナルプログラムチェーンを分割前の状態に復元するための情報を、前記オリジナルプログラムチェーンのテキスト領域に付与する、
ことを特徴とする映像編集方法。
【請求項６】
請求項１ないし５のいずれかに記載の映像編集方法において、
前記解析結果は、前記ユーザ定義プログラムチェーン番号を含むものであり、
前記編集ステップは、ユーザ定義プログラムチェーン番号を示す情報を、前記オリジナルプログラムチェーンに付与する、
ことを特徴とする映像編集方法。
【請求項７】
請求項６に記載の映像編集方法において、
前記編集ステップは、前記ユーザ定義プログラムチェーン番号を示す情報を、前記オリジナルプログラムチェーンのテキスト領域に付与する、
ことを特徴とする映像編集方法。
【請求項８】
記録媒体に記録されたデジタル映像を編集する映像編集装置であって、
前記記録媒体は、前記デジタル映像の全再生区間の再生を特定するオリジナルプログラムチェーン、及び少なくとも一部再生区間の再生を特定する１つ以上のユーザ定義プログラムチェーンが記録される記録媒体であり、
前記オリジナルプログラムチェーンに対する前記ユーザ定義プログラムチェーンからの参照状況を解析して、その解析結果を出力する解析部と、
前記解析結果に基づいて、前記オリジナルプログラムチェーンを編集する編集部と、を有する、
ことを特徴とする映像編集装置。
【請求項９】
請求項８に記載の映像編集装置において、
前記解析部が出力する解析結果は、前記ユーザ定義プログラムチェーンが前記オリジナルプログラムチェーンを参照する区間を特定する区間情報を含むものであり、
前記編集部は、前記オリジナルプログラムチェーンの再生区間を、前記区間情報により特定される地点で分割する、
ことを特徴とする映像編集装置。
【請求項１０】
請求項９に記載の映像編集装置において、
前記編集部は、前記区間情報により特定された地点で、再生のエントリを示すエントリポイント情報を付与して前記オリジナルプログラムチェーンの再生区間を分割する、
ことを特徴とする映像編集装置。
【請求項１１】
請求項９または請求項１０のいずれかに記載の映像編集装置において、
前記編集部は、分割された前記オリジナルプログラムチェーンを分割前の状態に復元するための情報を、前記オリジナルプログラムチェーンに付与する、
ことを特徴とする映像編集装置。
【請求項１２】
請求項１１に記載の映像編集装置において、
前記編集部は、分割された前記オリジナルプログラムチェーンを分割前の状態に復元するための情報を、前記オリジナルプログラムチェーンのテキスト領域に付与する、
ことを特徴とする映像編集装置。
【請求項１３】
請求項８ないし１２のいずれかに記載の映像編集装置において、
前記解析部が出力する解析結果は、ユーザ定義プログラムチェーン番号を含み、
前記編集部は、前記ユーザ定義プログラムチェーン番号を示す情報を、前記オリジナルプログラムチェーンに付与する、
ことを特徴とする映像編集装置。
【請求項１４】
請求項１３に記載の映像編集装置において、
前記編集部は、前記ユーザ定義プログラムチェーン番号を示す情報を、前記オリジナルプログラムチェーンのテキスト領域に付与する、
ことを特徴とする映像編集装置。
【請求項１５】
請求項８ないし１４のいずれかに記載の映像編集装置において、
前記デジタル映像は、ＭＰＥＧ（Moving Picture Experts Group）に準拠する形式のデータである、
ことを特徴とする映像編集装置。
【請求項１６】
請求項８ないし１５のいずれかに記載の映像編集装置において、
前記映像編集装置はデジタルカムコーダーである、
ことを特徴とする映像編集装置。
【請求項１７】
請求項８ないし１６のいずれかに記載の映像編集装置において、
前記オリジナルプログラムチェーンと前記ユーザ定義プログラムチェーンは、ＤＶＤビデオレコーディング規格に準拠するデータである、
ことを特徴とする映像編集装置。
【請求項１８】
請求項８ないし１７のいずれかに記載の映像編集装置において、
前記記録媒体は、ＤＶＤである、
ことを特徴とする映像編集装置。
【発明の詳細な説明】
【技術分野】
【０００１】
本発明は、記録媒体に記録されたデジタル映像を編集する技術に関する。
【背景技術】
【０００２】
近年、デジタルカムコーダは、シーケンシャルアクセスを行うテープを記録媒体とするものから、ランダムアクセス可能な記録媒体を持つものに移行しつつある。ランダムアクセス可能な記録媒体の一つとして、ＤＶＤがある。ＤＶＤの記録方式としては様々なものが規格化されているが、リライタブルなものとしては、ＤＶＤ−ＲＡＭやＤＶＤ−ＲＷが知られている。これらのリライタブルなＤＶＤを記録媒体とするデジタルカムコーダ（以下、「ＤＶＤカムコーダ」とする。）では、ＤＶＤにリアルタイムで映像を記録するためのアプリケーション規格である、ＤＶＤビデオレコーディング規格が一般的に適用されている。ＤＶＤビデオレコーディング規格では、編集機能として、利用者が再生の順序を定義することができるプレイリストについても規定されている。
【０００３】
図１１はＤＶＤビデオレコーディング規格が規定するデータ構造を示す図である。
ＤＶＤビデオレコーディング規格に準拠するＤＶＤには、ＤＶＤ_ＲＴＡＶディレクトリ以下に、ＶＯＢ(Video Object)、ＯＲＧ_ＰＧＣ（Original Program Chain）、ＶＯＢＩ（VOB Information）、及びＵＤ_ＰＧＣ（User Defined Program Chain）等のデータが含まれる。以下、これらのデータについて説明する。
【０００４】
ＶＯＢは、映像や音声を符号化して多重化したストリームデータである、ＭＰＥＧ−2プログラムストリーム(ＩＳＯ／ＩＥＣ １３８１８−１)であり、撮影時にＤＶＤに記録される映像データである。ビデオの符号化形式としては、ＭＰＥＧ−2（ＩＳＯ／ＩＥＣ １３８１８−２)やＭＰＥＧ−1（ＩＳＯ／ＩＥＣ １１１７２−２）が知られている。また、オーディオの符号化形式としてはＭＰＥＧオーディオ（ＩＳＯ／ＩＥＣ１１１７２−３、ＩＳＯ／ＩＥＣ１３８１８−３）、リニアＰＣＭ、あるいはＤｏｌｂｙ ＡＣ−３が知られている。ＶＯＢは、一つ以上のＶＯＢＵ（Video Object Unit）から構成される。さらにＶＯＢＵは、一つ以上のＧＯＰ（Group Of Pictures）を含み、動画の場合０．４秒から１秒までの再生時間を持つ基本単位である。ＶＯＢは動画タイプのもの（Ｍ_ＶＯＢ）と、静止画タイプのもの（Ｓ_ＶＯＢ）とがあり、Ｍ_ＶＯＢについては最大９９９個まで記録可能である。
【０００５】
ＯＲＧ_ＰＧＣ（Original Program Chain）は、ＤＶＤに記録された映像データである全てのＶＯＢの再生を管理するための情報である。ＯＲＧ_ＰＧＣを表すＰＧＣＩ（Program Chain Information）はＯＲＧ_ＰＧＣＩ（Original PGC Information）と呼ばれるテーブルに記述される。ＯＲＧ_ＰＧＣは、図示しない１つ以上のＰＧ（Program）により構成され、さらにＰＧは１つ以上のＣｅｌｌにより構成される。ＣｅｌｌはＰＧ内の少なくとも一部の再生区間を示す情報であり、Ｃｅｌｌに関する情報はＯＲＧ_ＰＧＣＩ内のＣＩ（Cell Information）と呼ばれるデータとして記述される。ＣｅｌｌにはＶＯＢと同様に、動画タイプのもの（Ｍ_Ｃ）と静止画タイプのもの（Ｓ_Ｃ）とがある。Ｍ_ＣのＣＩには後述するＭ_ＶＯＢＩの番号（M_VOBI_SRPN）と、Ｃｅｌｌの開始時間（C_V_S_PTM）、終了時間（C_V_E_PTM）、ユーザマーカー等で使用されるＥＰ（Entry Point）等が記述される。
【０００６】
ＶＯＢＩ（VOB Information）は、ＶＯＢに関する情報を記述するナビゲーションデータである。動画タイプのＶＯＢを示すものはＭ_ＶＯＢＩとなり、静止画タイプのＶＯＢを示すものはＳ_ＶＯＢＩとなる。Ｍ_ＶＯＢＩの場合、ＴＭＡＰＩ（Time Map Information）を含み、ＴＭＡＰＩは与えられた再生時間からＭ_ＶＯＢ内のＶＯＢＵのアドレスを求めるのに使われる。
【０００７】
ＵＤ_ＰＧＣ（User Defined Program Chain）は、利用者が映像データの任意の区間を所望の順序で再生するために定義される、プレイリストを示す情報である。ＵＤ_ＰＧＣを示す情報はＵＤ_ＰＧＣＩＴ（User Defined PGC Information Table）と呼ばれるテーブルに記述される。ＵＤ_ＰＧＣはＯＲＧ_ＰＧＣのＰＧと同様に、一つ以上のＣｅｌｌを持ち、ＣＩが映像データであるＶＯＢの一部を特定する。ただし、ＵＤ_ＰＧＣは、ＰＧやＶＯＢを持たない点においてＯＲＧ_ＰＧＣとは異なる。ＤＶＤビデオレコーディング規格では、オリジナルデータであるＶＯＢを持たないＵＤ_ＰＧＣを設けることにより、ＤＶＤに記録されている元の映像データを破壊することなく映像編集を行う、いわゆる非破壊編集を可能としている。
【０００８】
ところで、利用者の立場からすると、録画した映像データにアクセスする際に、規格上のデータ構造を知ることは面倒であり、このため、これらを意識させないようにすることが好ましい。例えば、ＤＶＤカムコーダの場合、動画の録画や、プレイリストへの映像データの追加によって生成される特定の再生区間（以下、「シーン」とする。）をデータへのアクセス単位とすることにより、利用者にとって簡易な映像データへのアクセスが可能となる。具体的には、シーン単位で、サムネイルを用いた再生メニューを提供することができ、また、シーン単位での簡単な編集機能を提供することができる。
【０００９】
図１１で示したように、ＤＶＤレコーディング規格では、ナビゲーションデータがある程度の階層を有するので、特定のシーンをデータへのアクセス単位とするためには、適当な階層のナビゲーションデータを一つのシーンとすれば良く、例えば、１つのＣｅｌｌを１つのシーンとして置き換えれば良い。Ｃｅｌｌをシーンとして扱う場合、利用者はＶＯＢやＶＯＢＩ等を意識することなくデータにアクセスすることができる。また、シーンとＣｅｌｌとが１対１に対応するので、ナビゲーションデータの管理が容易である。Ｃｅｌｌ以外にも、シーンの単位として、ＰＧや、ＥＰを用いても良く、撮影回数等の機器の特性と、各ナビゲーションデータの最大数等を考慮して定義すればよい。
【００１０】
しかしこのように、あるナビゲーションデータをシーンとして置き換えた場合、以下のような不都合が生じる場合がある。図１２は、プレイリストにシーンを追加した場合の、ナビゲーションデータ構造を示す図である。例えば図１２のように、利用者がＡ点からＢ点を指定する場合、すなわち、シーンより小さい単位、例えばフレーム単位でプレイリストにシーンを追加する場合は、この区間に存在するＶＯＢのデータがプレイリストに登録される。利用者の立場からすると、ＶＯＢ＃１やＶＯＢ＃２の存在は意識されるものではないため、Ａ点からＢ点を一つのシーンとして登録するのが好ましい。しかし、ＶＯＢ＃１とＶＯＢ＃２は非連続であるため、規格上、それぞれＵＤ_ＰＧＣ内にＣｅｌｌを定義する必要があり、シーンが２つできることになる。このように、プレイリスト作成前のＯＲＧ_ＰＧＣの状態によっては、かならずしも利用者の所望する編集結果を得ることができなかった。
【００１１】
このような問題を解決するため、利用者の指示により編集された位置を示すＥＰを、ＵＤ_ＰＧＣに付与する発明が開示されている（例えば特許文献１参照）。図１３は、前記従来発明の動作例を示す図である。この発明によれば、利用者が編集を指示した位置に対応するＵＤ_ＰＧＣにＥＰを付与し、ＥＰを付与した単位を１シーンとする。すなわち、利用者が指定した区間を１シーンとすることができるので、利用者の所望する編集結果を得ることができる。
【特許文献１】特開２００２−８４４９５号公報
【発明の開示】
【発明が解決しようとする課題】
【００１２】
しかしながら、上記従来例において考慮されているのは、プレイリストのみであり、ＯＲＧ_ＰＧＣのシーンとＵＤ_ＰＧＣのシーンとの間で関連性が失われてしまうことがあるという課題を有していた。すなわち、ＯＲＧ＿ＰＧＣのシーンと、ＵＤ＿ＰＧＣのシーンとの関連性は、シーン単位の編集を行う場合、シーンの分割編集をユーザが意図的に行わない限り、通常１対１の関係を保つ。しかし、シーン単位の編集を行わない外部の機器（ＤＶＤレコーダ等）でプレイリストが作成されると、ＯＲＧ＿ＰＧＣのシーンとＵＤ＿ＰＧＣのシーンとの関連性が失われる可能性がある。
【００１３】
図１４は、上記従来例におけるＯＲＧ_ＰＧＣの再生メニューと、ＵＤ_ＰＧＣの再生メニューの表示例を示す図である。図１４に示すように、ＤＶＤカムコーダの再生メニューは、各シーンの先頭に該当する映像データ、具体的にはＩ−Ｐｉｃｔｕｒｅ、からサムネイル一覧を表示し、シーン単位で再生や編集機能を提供することが一般的である。一方、ＵＤ_ＰＧＣメニューのシーンＸは、ＯＲＧ_ＰＧＣメニューのシーンＡとシーンＢとに跨る映像データである。このため、図１４のように、両者の間に見た目上の関連性はなく、利用者は、ＵＤ_ＰＧＣメニューのシーンＸが、ＯＲＧ_ＰＧＣメニューのいずれのシーンに該当するのかは、一見して認識することはできない。
【００１４】
また、シーンＡとシーンＸのサムネイル画像から、シーンＸがシーンＡ内の映像データであると判断できたとしても、シーンＸがシーンＢにも関連するシーンであるかどうかまでは分からない。このため、利用者がこれらのメニューから編集作業を行うためには、各シーンをいちいち再生してその内容を確認するしかなく、非常に不便であった。
【００１５】
本発明は、上記課題を解決するためになされたものであり、ＯＲＧ_ＰＧＣのシーンとＵＤ_ＰＧＣのシーンとの間で関連性が失われた場合でも、ＯＲＧ_ＰＧＣとＵＤ_ＰＧＣのシーンとの間の整合性をとることができ、利用者が不都合なく編集作業を行うことができる映像編集方法、及び映像編集装置を提供する。
【課題を解決するための手段】
【００１６】
上記課題を解決するため、本願請求項１に記載の発明は、記録媒体に記録されたデジタル映像を編集する映像編集方法において、記録媒体から、該記録媒体に記録された、デジタル映像の全再生区間の再生を特定するオリジナルプログラムチェーン、及び少なくとも一部再生区間の再生を特定するユーザ定義プログラムチェーンを読み出すデータ読出しステップと、前記オリジナルプログラムチェーンに対する前記ユーザ定義プログラムチェーンからの参照状況を解析して、その解析結果を出力する解析ステップと、前記解析ステップにより出力された解析結果に基づき、前記オリジナルプログラムチェーンを編集する編集ステップとを有することを特徴とするものである。
【００１７】
また、本願請求項２に記載の発明は、請求項１に記載の映像編集方法において、前記解析結果は、前記ユーザ定義プログラムチェーンが前記オリジナルプログラムチェーンを参照する区間を特定する区間情報を含むものであり、前記編集ステップは、前記オリジナルプログラムチェーンの再生区間を、前記区間情報により特定される地点で分割することを特徴とするものである。
【００１８】
また、本願請求項３に記載の発明は、請求項２に記載の映像編集方法において、前記編集ステップは、前記区間情報により特定される地点で、再生のエントリを示すエントリポイント情報を付与することにより、前記オリジナルプログラムチェーンの再生区間を分割することを特徴とするものである。
【００１９】
また、本願請求項４に記載の発明は、請求項２または請求項３に記載の映像編集方法において、前記編集ステップは、分割された前記オリジナルプログラムチェーンを分割前の状態に復元するための情報を、前記オリジナルプログラムチェーンに付与することを特徴とするものである。
【００２０】
また、本願請求項５に記載の発明は、請求項４に記載の映像編集方法において、前記編集ステップは、分割された前記オリジナルプログラムチェーンを分割前の状態に復元するための情報を、前記オリジナルプログラムチェーンのテキスト領域に付与することを特徴とするものである。
【００２１】
また、本願請求項６に記載の発明は、請求項１ないし５のいずれかに記載の映像編集方法において、前記解析結果は、前記ユーザ定義プログラムチェーン番号を含むものであり、前記編集ステップは、ユーザ定義プログラムチェーン番号を示す情報を、前記オリジナルプログラムチェーンに付与することを特徴とするものである。
【００２２】
また、本願請求項７に記載の発明は、請求項６に記載の映像編集方法において、前記編集ステップは、前記ユーザ定義プログラムチェーン番号を示す情報を、前記オリジナルプログラムチェーンのテキスト領域に付与することを特徴とする。
【００２３】
また、本願請求項８に記載の発明は、記録媒体に記録されたデジタル映像を編集する映像編集装置であって、前記記録媒体は、前記デジタル映像の全再生区間の再生を特定するオリジナルプログラムチェーン、及び少なくとも一部再生区間の再生を特定する１つ以上のユーザ定義プログラムチェーンが記録される記録媒体であり、前記オリジナルプログラムチェーンに対する前記ユーザ定義プログラムチェーンからの参照状況を解析して、その解析結果を出力する解析部と、前記解析結果に基づいて、前記オリジナルプログラムチェーンを編集する編集部とを有することを特徴とするものである。
【００２４】
また、本願請求項９に記載の発明は、請求項８に記載の映像編集装置において、前記解析部が出力する解析結果は、前記ユーザ定義プログラムチェーンが前記オリジナルプログラムチェーンを参照する区間を特定する区間情報を含むものであり、前記編集部は、前記オリジナルプログラムチェーンの再生区間を、前記区間情報により特定される地点で分割することを特徴とするものである。
【００２５】
また、本願請求項１０に記載の発明は、請求項９に記載の映像編集装置において、前記編集部は、前記区間情報により特定された地点で、再生のエントリを示すエントリポイント情報を付与して前記オリジナルプログラムチェーンの再生区間を分割することを特徴とするものである。
【００２６】
また、本願請求項１１に記載の発明は、請求項９または請求項１０のいずれかに記載の映像編集装置において、前記編集部は、分割された前記オリジナルプログラムチェーンを分割前の状態に復元するための情報を、前記オリジナルプログラムチェーンに付与することを特徴とするものである。
【００２７】
また、本願請求項１２に記載の発明は、請求項１１に記載の映像編集装置において、前記編集部は、分割された前記オリジナルプログラムチェーンを分割前の状態に復元するための情報を、前記オリジナルプログラムチェーンのテキスト領域に付与する、ことを特徴とするものである。
【００２８】
また、本願請求項１３に記載の発明は、請求項８ないし１２のいずれかに記載の映像編集装置において、前記解析部が出力する解析結果は、ユーザ定義プログラムチェーン番号を含み、前記編集部は、前記ユーザ定義プログラムチェーン番号を示す情報を、前記オリジナルプログラムチェーンに付与することを特徴とするものである。
【００２９】
また、本願請求項１４に記載の発明は、請求項１３に記載の映像編集装置において、前記編集部は、前記ユーザ定義プログラムチェーン番号を示す情報を、前記オリジナルプログラムチェーンのテキスト領域に付与することを特徴とするものである。
【００３０】
また、本願請求項１５に記載の発明は、請求項８ないし１４のいずれかに記載の映像編集装置において、前記デジタル映像は、ＭＰＥＧ（Moving Picture Experts Group）に準拠する形式のデータであることを特徴とするものである。
【００３１】
また、本願請求項１６に記載の発明は、請求項８ないし１５のいずれかに記載の映像編集装置において、前記映像編集装置はデジタルカムコーダーであることを特徴とするものである。
【００３２】
また、本願請求項１７に記載の発明は、請求項８ないし１６のいずれかに記載の映像編集装置において、前記オリジナルプログラムチェーンと前記ユーザ定義プログラムチェーンは、ＤＶＤビデオレコーディング規格に準拠するデータであることを特徴とするものである。
【００３３】
また、本願請求項１８に記載の発明は、請求項８ないし１７のいずれかに記載の映像編集装置において、前記記録媒体は、ＤＶＤであることを特徴とするものである。
【発明の効果】
【００３４】
本発明の映像編集方法および映像編集装置によれば、ＯＲＧ_ＰＧＣのシーンとＵＤ_ＰＧＣのシーンとの間で関連性が失われてしまった場合でも、ＯＲＧ_ＰＧＣのシーンとＵＤ_ＰＧＣのシーンとの間の整合性をとることが可能となり、他の機器で編集がなされたＤＶＤが挿入されたような場合でも、利用者がそのＤＶＤに対して不都合なく編集作業を行うことが可能となる。
【発明を実施するための最良の形態】
【００３５】
以下に、本発明の映像編集装置の実施の形態を図面とともに詳細に説明する。
【００３６】
（実施の形態１）
図１は、本実施の形態１に係る映像編集装置１００のハードウェア構成を示すブロック図である。本実施の形態１では、映像編集装置１００として、ＤＶＤビデオレコーディング規格に準拠するＤＶＤカムコーダを用いて説明するが、必ずしもこれに限定されるものではなく、ＤＶＤレコーダ等、ＤＶＤに映像データを記録し、編集を行うものであれば良い。
【００３７】
図１において、１０１は、撮影レンズである。ＣＣＤ（Charge Coupled Devices）１０２は、レンズ１０１より入力された光を、光電効果によって電気信号に変換して出力するイメージセンサーとして動作するものである。なお、このイメージセンサーは、ＣＣＤ１０２に限るものではなく、ＣＣＤに比べて低電圧で駆動するＣＭＯＳであっても良い。ＡＤ変換部１０３は、ＣＣＤ２０２から出力されたアナログ信号をデジタル信号に変換する変換手段として動作するものであり、ノイズを低減させるＣＤＳ（Correlated Double Sampling）回路と、被写体の明るさに応じて信号の振幅を電気的に増幅するＡＧＣ（Auto Gain Control）回路と、ＡＤ変換回路と（何れも図示せず）を備えている。
【００３８】
ＤＳＰ（Digital Signal Processor）１０４は、映像信号の処理に特化したマイクロプロセッサであり、ＡＤ変換部１０３から出力されたデジタル信号に対して、色分解、ホワイトバランス調整、γ補正などの画像処理を施し、ＲＧＢ信号を抽出するものである。さらにＤＳＰ１０４は、ＲＧＢ信号を輝度信号、及び色差信号に変換し、該データを、図示しないビデオメモリ、またはフレームメモリに出力する。ビデオメモリに出力されたデータはＬＣＤモニタ１０６に供給され、フレームメモリに出力されたデータはＣＯＤＥＣ２０７に供給される。
【００３９】
ＬＣＤ（Liquid Crystal Display）モニタ１０６は、記録映像データや、記録前の映像を表示する表示手段である。ＬＣＤ制御部１０５は、ＬＣＤモニタ１０６を制御する制御手段として動作するものであり、ＬＣＤモニタ１０６のＯＮ／ＯＦＦ、バックライトの輝度調節、あるいは、後述するカメラマイコン１０９から指定される文字等をＯＳＤ（On Screen Display）として、記録した映像データや記録前の映像に重ね合わせて表示する機能等を有する。操作キー１０８は、利用者の入力手段として動作するものである。例えば、撮影開始ボタン、決定ボタン、選択ボタン、早送りボタン、巻き戻しボタン等が備えられる。
【００４０】
カメラマイコン１０９は、ＤＳＰ１０４とＬＣＤ制御部１０５とを制御する制御手段として動作するものである。また、カメラマイコン１０９は、操作キー１０８からの入力を処理する。例えば、撮影開始ボタンから入力があった場合、撮影可能であればシステムマイコン１１８に対して通知する。なお、カメラマイコン１０９とシステムマイコン１１８間は、シリアル通信により通信可能としている。
【００４１】
マイク／スピーカー１１１は、オーディオデータの取り込み手段、出力手段として動作するものである。映像の記録時にはマイクから音声が取り込まれ、オーディオＣＯＤＥＣ１１０に出力される。映像の再生時にはオーディオＣＯＤＥＣ１１０からの出力をスピーカーから出力する。
【００４２】
オーディオＣＯＤＥＣ１１０は、オーディオのエンコード、デコード手段として動作するものである。なお、オーディオの符号化方式は、ＤＶＤレコーディング規格に準拠する、ＭＰＥＧオーディオ、リニアＰＣＭ、Ｄｏｌｂｙ  ＡＣ−３のいずれの方式であっても良い。
【００４３】
ＣＯＤＥＣ１０７は、ＤＳＰ１０４から出力された信号をＭＰＥＧ−２のビデオ形式で符号化してＲＡＭ１１２に出力するエンコード手段として動作するものである。また、再生時には逆にデコード手段として動作する。なお、静止画としてＪＰＥＧ（Joint Photographic Coding Experts Group）をＤＶＤに記録する場合には、ＪＰＥＧに対するエンコード、デコードを行う。
【００４４】
ＤＶＤ１１４は、映像データや、該映像データを管理するナビゲーションデータの記録媒体であり、ＤＶＤ−ＲＡＭやＤＶＤ−ＲＷ等のリライタブルなＤＶＤを使用することができる。なお、本実施の形態１ではＤＶＤカムコーダを例として説明を行うため、記録媒体をＤＶＤとするが、これに限定されるものではなく、ＳＤカード等のメモリカードや、ハードディスクであっても良い。
【００４５】
ＤＶＤドライブ１１５は、記録媒体であるＤＶＤ１１４へのデータの書き込み、及び読み出しを行うドライブ手段として動作するものである。ＲＡＭ１１２は、ＣＯＤＥＣ１０７、オーディオＣＯＤＥＣ１１０、システムマイコン１１８のワーク領域として動作するものである。ＲＯＭ１１３は、システムマイコン１１８上で実行可能なプログラムが格納されるメモリー手段として動作するものである。Ｆｌａｓｈ  ＲＯＭ１１６は、機器の設定や停電復旧用のデータを記録する記録手段として動作するものである。ＢＵＳ１１７は、システムマイコン１１８、ＲＡＭ１１２、ＲＯＭ１１３等の伝送路である。
【００４６】
システムマイコン１１８は、ＣＯＤＥＣ１０７やオーディオＣＯＤＥＣ１１０等を制御する制御手段として動作するものである。また、システムマイコン１１８は、ＣＯＤＥＣ１０７とオーディオＣＯＤＥＣ１１０の出力データをＭＰＥＧ−２のプログラムストリームにマルチプレクスしＶＯＢデータを生成すると共に、ＶＯＢデータに対応するナビゲーションデータを生成して、こられのデータをＤＶＤドライブ１１５に対して書き込むよう指示を行う。なお、これらの動作は、主にＲＯＭ１１３に格納されているプログラムが、システムマイコン１１８にて実行されることにより行われる。
【００４７】
また、本実施の形態１の映像編集装置１００は、上述した各構成要素の他に、バッテリ、ファインダ、手振れ補正機構、メモリカード（例えばＳＤカード）、あるいはＵＳＢ等、ＤＶＤカムコーダが一般的に備える各構成要素を備えるが、これらについては図示しない。
【００４８】
次に、本実施の形態１に係る映像編集装置１００上で動作するソフトウェアについて説明する。
図２は、ＲＯＭ１１３に格納されるプログラムであって、システムマイコン１１８上で動作するソフトウェア２００の構造を模式的に表した図である。なお、以下に説明する各ブロックの機能は、ハードウェアに置き換えられても良い。
【００４９】
図２において、アプリケーション部２０１は、システム全体の管理を行うブロックであり、カメラマイコン１０９のソフトウェアと通信を行い、利用者のキー操作を受信して、その状態によって他のブロックを制御する。また、再生メニューや編集メニュー等、記録された映像データのサムネイルを使ったメニュー表示を行う。
【００５０】
デバイスドライバ部２０２は、ＣＯＤＥＣ１０７、オーディオＣＯＤＥＣ１１０を制御するブロックであり、これらデバイスの仕様に従い、エンコード開始や停止といった基本機能を提供する。
ファイルアクセス部２０３は、ＵＤＦ（Universal Disk Format）規格に準拠してＤＶＤ１１４上のファイルを管理するブロックである。
【００５１】
記録再生制御部２０４は、アプリケーション部２０１からの記録再生命令に従い、ビデオ、オーディオデータの記録、及び再生を行うブロックである。具体的には、ビデオデータを、デバイスドライバ部２０２を介してＣＯＤＥＣ１０７を制御することにより生成する。また、オーディオデータを、デバイスドライバ部２０２を介してオーディオＣＯＤＥＣ１１０を制御することにより生成する。そして、生成されたオーディオデータとビデオデータとをマルチプレクスしてＤＶＤ１１４に記録する。ＤＶＤ１１４への記録は、ファイルアクセス部２０３を介して行う。動画データの場合、ＶＲ＿ＭＯＶＩＥ．ＶＲＯファイルに記録し、静止画データの場合、ＶＲ＿ＳＴＩＬＬ．ＶＲＯファイルに記録する。また、記録時には、映像データを管理するナビゲーションデータを作成し、ＶＲ＿ＭＡＮＧＲ．ＩＦＯファイルと、このバックアップであるＶＲ＿ＭＡＮＧＲ．ＢＵＰファイルに記録する。
【００５２】
ここで、記録再生制御部２０４が作成する、ナビゲーションデータであるＯＲＧ＿ＰＧＣのＰＧＣＩについて、図３を用いて説明する。
図３は、ＯＲＧ＿ＰＧＣのＰＧＣＩの構成を表す図である。なお、図３において、Ｃｅｌｌ、ＶＯＢＩ、及びＶＯＢについては、上述した従来技術におけるものと同一のものであるため、その説明を省略する。
【００５３】
図３において、ＰＧは、記録された映像データの論理的な単位であって、ＯＲＧ＿ＰＧＣ内に最低１つ、最大で９９個存在する。ＰＧは記録した映像データを特定の単位でまとめるために使用することができる。例えば、映像を撮影した日付ごとにＰＧを作成し、ＰＧ単位ごとに再生メニューを用意することにより、利用者の映像データへのアクセスが容易となる。ＰＧは一つであっても良く、また、ＰＧを１回の撮影の単位とすることも可能であるが、その場合撮影回数が９９回に制限されるので、ＤＶＤカムコーダの用途としては好ましくない。
【００５４】
ＥＰは、シーンを定義するための単位として使用するものである。アプリケーション部２０１は、再生メニューや編集メニューのサムネイルを表示する際に、記録再生制御部２０４に対してＰＧ内のＥＰの個数だけ、ＥＰのタイプ（動画、静止画）やＥＰが示すデータの位置（ＶＲ＿ＭＯＶＩＥ．ＶＲＯやＶＲ＿ＳＴＩＬＬ．ＶＲＯの先頭からのオフセット）を問い合わせ、サムネイル表示を行う。なお、シーンの単位としてＥＰを使用するのは、シーンの分割編集で、ＥＰを分割地点に付与するだけでシーンを分割することができ、逆に、シーンの結合時にはＥＰを消去するだけでシーンを結合することができるためである。
【００５５】
さらに、図２において、編集制御部２０５は、アプリケーション部２０１からの命令を受けて、各種の映像編集を行うためのブロックである。映像編集には様々なものがあるが、一般的にはプレイリストの作成、上記ＰＧの消去、シーンの消去、シーンの結合、プレイリストやＰＧ名の変更等がある。なお、プレイリストの作成は、シーン単位で行われる。利用者はＯＲＧ＿ＰＧＣのサムネイル一覧から、プレイリストに追加したいシーンを選択し、プレイリストには、ＯＲＧ＿ＰＧＣのシーンと同じシーンが登録される。従って、ＯＲＧ＿ＰＧＣのＣｅｌｌと、ＵＤ＿ＰＧＣに追加されたＣｅｌｌとは、同じ再生区間を特定することになる。上記編集の結果、ＤＶＤ１１４に記録されたナビゲーションデータと映像データとが編集される。ナビゲーションデータについては、ＲＡＭ１１２に保持しておき、編集に応じて変更し、ファイルアクセス部２０３を介してＶＲ＿ＭＡＮＧＲ．ＩＦＯ、及びＶＲ＿ＭＡＮＧＲ．ＢＵＰに上書きする。なお、上書きは編集毎に行う必要はなく、全ての編集が終わった時、例えば編集モードを抜ける時、に行い、頻繁なＤＶＤ１１４へのアクセスを避けるのが好ましい。映像データについても同様に、ファイルアクセス部２０３を介して、ＶＲ＿ＭＯＶＩＥ．ＶＲＯやＶＲ＿ＳＴＩＬＬ．ＶＲＯファイルの編集を行う。なお、プレイリストの作成や消去に関する編集では、映像データの編集が行われることはない。
【００５６】
ＵＤ＿ＰＧＣ解析部２０６は、ＵＤ＿ＰＧＣのＯＲＧ＿ＰＧＣへの参照状況を解析する解析手段として動作する。ＯＲＧ＿ＰＧＣ編集部２０７は、ＵＤ＿ＰＧＣ解析部２０６の解析結果をもとにＯＲＧ＿ＰＧＣを編集する編集手段として動作する。なお、ＵＤ＿ＰＧＣ解析部２０６による解析の詳細については後述する。
【００５７】
次に、以上のように構成される映像編集装置１００の動作について説明する。
まず、アプリケーション部２０１は、システムの初期化を行う（ステップＳ４００）。そして、編集部１０４を介して、システムの初期化時やＤＶＤ１１４の挿入後等に、ＤＶＤ１１４は外部の機器でプレイリストの編集がなされているかどうかをチェックする（ステップＳ４０１）。
【００５８】
外部機器でプレイリストの編集がなされているか否かの判定は、様々な方法により行うことができるが、チェックサムを使うことで簡単に実現することができる。例えば記録編集時、あるいはＤＶＤ１１４の取り出し前等に、ナビゲーションデータ中のプレイリストに関する部分、例えば、ＵＤ＿ＰＧＣのＰＧＣＩのチェックサムを求めてＶＲ＿ＭＡＮＧＲ．ＩＦＯの特定の位置に記述しておき、再びＤＶＤ１１４を挿入した時に、記述されたチェックサムと、再度求めたチェックサムとを比較して判定する。
【００５９】
ステップＳ４０１において、ＤＶＤが他の機器でプレイリストが編集されたものであると判断された場合は、編集制御部２０５は、ＵＤ＿ＰＧＣ解析部２０６に解析命令を通知し、ＵＤ＿ＰＧＣ解析部２０６は解析を開始する（ステップＳ４０２）。以下、ステップＳ４０２における解析の詳細について説明する。
【００６０】
図５は、ステップＳ４０２における解析処理のフローチャートである。
まず、解析対象となるシーンが存在するか否かを判定する。（ステップＳ５００）。シーンが存在する場合、そのシーンを参照するプレイリストが存在するかどうかを判定する（ステップＳ５０１）。この判定は、ＯＲＧ＿ＰＧＣのシーンが動画タイプの場合は、ＯＲＧ＿ＰＧＣの該当するＣｅｌｌのＣＩ内に記述されたＭ＿ＶＯＢＩ＿ＳＲＰＮと、同じ番号を持つＣｅｌｌがＵＤ＿ＰＧＣ内に存在するか否かにより判断することができる。
【００６１】
参照するプレイリストが存在する場合は、そのプレイリストが、シーンの一部区間を参照しているかどうかを判定する（ステップＳ５０２）。この判定は、ＯＲＧ＿ＰＧＣのシーンが動画タイプの場合、該当するＣｅｌｌのＣＩに記述された再生時間情報（C_V_S_PTM、C_V_E_PTM）と、参照するプレイリストのＣｅｌｌのＣＩに記述された再生時間情報とを比較することにより行うことができる。両者の再生時間が一致しない場合は、プレイリストがＯＲＧ＿ＰＧＣのシーンの一部区間を参照していることになる。
【００６２】
プレイリストが一部区間を参照している場合は、解析情報を生成する（ステップＳ５０３）。この解析情報について、図６を用いて説明する。図６は、解析情報のデータ構造を表す図である。図６に示すように、解析情報は、区間数、復元情報、及び区間情報からなる。
【００６３】
区間数は、ＯＲＧ＿ＰＧＣのシーンをいくつに分割するかを示す情報である。復元情報は、分割されたＯＲＧ＿ＰＧＣを分割前の状態に復元するための情報である。また、区間情報は、ＵＤ＿ＰＧＣがＯＲＧ＿ＰＧＣを参照する区間を特定するための情報である。区間情報は、図６に示すように、復元情報に続くフィールドに、区間数の数存在する。以下、これら区間数、復元情報、及び区間情報の詳細について説明する。
【００６４】
図７は、区間数を説明するための図である。図７に示すように、ＯＲＧ＿ＰＧＣのシーンの中間部分をＵＤ＿ＰＧＣが指定している場合、ＯＲＧ＿ＰＧＣのシーンは、プレイリストから参照されていない区間（区間＃１）、参照されている区間（区間＃２）、及び参照されていない区間（区間＃３）の３つの区間に分けることができる。これらの区間の数の合計が区間数となる。
【００６５】
復元情報は、解析対象のＯＲＧ＿ＰＧＣのシーンを特定する情報である。例えば、ＯＲＧ＿ＰＧＣのシーン番号を記述する。規格上、シーン番号に対応するナビゲーションデータは存在しないが、ＥＰの個数を計数したものをシーン番号として使用することができる。
【００６６】
区間情報は、後述するＯＲＧ＿ＰＧＣの編集のために用いる情報である。区間情報は、シーンが動画の場合、プレイリスト番号、開始時間、終了時間とからなる。プレイリスト番号は、ＯＲＧ＿ＰＧＣを参照するプレイリストの番号を示す情報である。複数のプレイリストから参照されている場合には、それぞれのプレイリスト番号を示す情報が記述される。開始時間は、その区間の開始時間を示す情報である。開始時間は、ＯＲＧ＿ＰＧＣのＣＩと、ＵＤ＿ＰＧＣのＣＩに記述された時間から求めることができる。終了時間は、その区間の終了時間を示す情報であり、求め方は開始時間と同様である。
【００６７】
ＵＤ＿ＰＧＣ解析部２０６は、ステップＳ５０３にて、図６のように構成される解析情報を設定すると、上記ステップＳ５００に帰還し、次に解析するシーンがなくなるまで、ステップＳ５００からステップＳ５０３を繰り返し行う。そして、ＯＲＧ＿ＰＧＣのシーン毎に上記解析を行い、次に解析するシーンが存在しない場合は、解析処理を終了し、図４のステップＳ４０３に進む。
【００６８】
ステップＳ４０２において上述した解析が終了すると、その解析結果が編集制御部２０５に通知される。編集制御部２０５は、解析結果をもとに、ＯＲＧ＿ＰＧＣの編集が必要か否かの判定を行う（ステップＳ４０３）。この判定は、ステップＳ４０２により生成された解析情報が１つ以上通知されたかどうかで行うことができる。
【００６９】
解析情報が１つ以上生成されている場合は、編集制御部２０５は、利用者に対してＯＲＧ＿ＰＧＣを編集することを許可するかどうかの選択メニューを表示するよう、アプリケーション部２０１に対して通知し、アプリーション部１０１は、かかる通知を受けて選択メニューを表示する（ステップＳ４０４）。
【００７０】
アプリケーション部２０１は、利用者が決定ボタンの押下等、操作キー１０８を介して許可を示す操作を行った場合は、その旨を編集制御部２０５に通知する。編集制御部２０５は、当該通知を受けると、ステップＳ４０２の解析結果である解析情報に従いＯＲＧ＿ＰＧＣを編集するよう、ＯＲＧ＿ＰＧＣ編集部２０７に対して解析情報と共に通知し、これにより、ＯＲＧ＿ＰＧＣ編集部２０７にて編集が行われる（ステップＳ４０５）。以下、ステップＳ４０５の詳細について説明する。
【００７１】
図８は、ステップＳ４０５における編集処理のフローチャートである。
まず、処理を行うシーンが存在するか否かを判定する（ステップＳ８００）。処理するシーンが存在する場合は、そのシーンに対する解析情報が存在するか否かを判定する（ステップＳ８０１）。この判定は、ＯＲＧ＿ＰＧＣのシーン番号と、上述した解析情報の復元情報に記述されたシーン番号とを比較することにより行うことができる。
【００７２】
解析情報が存在する場合は、ＥＰを新たにシーンに付与するかどうかを判定する（ステップＳ８０２）。この判定は、ＯＲＧ＿ＰＧＣのシーンのＣＩにＥＰが含まれているか否かを判断することにより行うことができる。解析情報の開始時間が示す位置にＥＰが含まれていない場合、ＥＰを新規作成し、ＯＲＧ＿ＰＧＣのＣＩに付与する（ステップＳ８０３）。新規作成するＥＰは、動画タイプのＣｅｌｌの場合、規格上、テキストエリアを持たないタイプＡ、テキストエリアを有するタイプＢの２種類があるが、タイプＢを作成する。
【００７３】
次に、解析情報に含まれるプレイリスト番号を、付与したＥＰのテキストエリアに書き込む（ステップＳ８０４）。テキストの種別としては、規格上、ＩＳＯ／ＩＥＣ６４６：１９８３（ＡＳＣＩＩ）や、Ｓｈｉｆｔ  ＪＩＳ  Ｋａｎｊｉなどが規定されているが、特に限定するものではない。また、ステップＳ８０２で既にＥＰが存在した場合、既存のＥＰのテキストエリアにプレイリスト番号を書き込む。さらに、既存のＥＰがタイプＡの場合、タイプＢのＥＰを上書して、テキストエリアにプレイリスト番号を書き込めばよい。
【００７４】
次に、同じＥＰのテキストエリアに続けて復元情報を書き込む（ステップＳ８０５）。
復元情報の書き込みが終了すると、上記ステップＳ８００に帰還し、次に編集するシーンがなくなるまで、ステップＳ８００からステップＳ８０５を繰り返し行う。そして、編集するシーンが存在しない場合は編集処理を終了する。
【００７５】
ここで、編集後のＯＲＧ＿ＰＧＣの一例を図９に示す。図９に示すように、ＯＲＧ＿ＰＧＣのシーンＡがＥＰ＃２とＥＰ＃３とを付与されたことにより、アプリケーション部２０１は、シーンＡ＃１、シーンＡ＃２、シーンＡ＃３、シーンＢの４つのシーンを認識するようになる。
【００７６】
図１０は、編集後のＯＲＧ＿ＰＧＣのメニューとＵＤ＿ＰＧＣのメニューの一例を示す図である。上述のように、ＥＰ＃２とＥＰ＃３とが付与されると、シーンＡ＃１、シーンＡ＃２、及びシーンＡ＃３はそれぞれ独立したシーンとなるため、図１０に示すように、新たなメニュー表示が可能となる。そして、ＯＲＧ＿ＰＧＣメニューのシーンＡ＃２と、ＵＤ＿ＰＧＣメニューのシーンＸとして表示されるサムネイル画像は同一であるため、利用者はプレイリストに追加したシーンがどのシーンであるのかを、見た目で判断することができる。また、ＥＰのテキストエリアにプレイリスト番号を書き込んでいるので、プレイリスト番号をシーンＡ＃２の上部等にＯＳＤを使って表示することができ、どのプレイリストから参照されているのかを知ることができる。
【００７７】
また、このように適度にシーンを分割することにより、利用者はシーンＡ＃２の前後に記録されている映像データの内容を把握することができるので、前後にプレイリストに追加されていないシーンがないか考慮し、追加することができる。さらに、ＥＰのテキストエリアには復元情報が書き込まれているので、利用者が所望する場合には、復元情報からＥＰを削除し、もとのシーンに戻すことも可能である。
【００７８】
このように、本実施の形態１では、ＵＤ＿ＰＧＣ解析部２０６が、オリジナルプログラムチェーンに対するユーザ定義プログラムチェーンからの参照状況を解析し、ＯＲＧ＿ＰＧＣ編集部２０７が、その解析結果に基づいて、前記オリジナルプログラムチェーンを編集することとしたので、ＯＲＧ＿ＰＧＣのシーンとＵＤ＿ＰＧＣのシーンとの間で関連性が失われてしまった場合でも、ＯＲＧ＿ＰＧＣのシーンとＵＤ＿ＰＧＣのシーンとの整合性をとることが可能となる。これにより、ＯＲＧ＿ＰＧＣのシーンとＵＤ＿ＰＧＣのシーンとの間で同じサムネイル画像表示が可能となり、他の機器で編集がなされたＤＶＤが挿入されたような場合でも、そのＤＶＤに対して不都合なく編集作業を行うことが可能となる。
【産業上の利用可能性】
【００７９】
本発明に係る映像編集装置は、ＤＶＤ−ＶＲ規格に準拠したＤＶＤを編集するＤＶＤカムコーダやＤＶＤレコーダにおいて、利便性の高い編集機能を提供することができる点において有用である。
【図面の簡単な説明】
【００８０】
【図１】本発明の実施の形態１における映像編集装置のハードウェア構成を示す図である。
【図２】本発明の実施例１における映像編集装置のソフトウェア構成を示す図である。
【図３】記録再生制御部２０４が作成するＯＲＧ＿ＰＧＣのＰＧＣＩの構成を示す図である。
【図４】各ソフトウェアブロックの処理の流れを示すフローチャートである。
【図５】ＵＤ＿ＰＧＣ解析部２０６の解析処理の手順を示すフローチャートである。
【図６】解析情報を示す図である。
【図７】区間数を示す図である。
【図８】ＯＲＧ＿ＰＧＣ編集部２０７の編集処理の手順を示すフローチャートである。
【図９】編集後のＯＲＧ＿ＰＧＣを示す図である。
【図１０】編集後のＯＲＧ＿ＰＧＣとＵＤ＿ＰＧＣのメニューの一例を示す図である。
【図１１】ＤＶＤビデオレコーディング規格が規定するデータ構造を示す図である。
【図１２】ナビゲーションデータ構造を示す図である。
【図１３】従来発明の動作例を示す図である。
【図１４】ＯＲＧ＿ＰＧＣとＵＤ＿ＰＧＣの再生メニューの一例を示す図である。
【符号の説明】
【００８１】
１０１  レンズ
１０２  ＣＣＤ
１０３  ＡＤ変換部
１０４  ＤＳＰ  
１０５  ＬＣＤ制御部
１０６  ＬＣＤモニタ
１０７  ＣＯＤＥＣ
１０８  操作キー
１０９  カメラマイコン
１１０  オーディオＣＯＤＥＣ
１１１  マイク／スピーカー
１１２  ＲＡＭ
１１３  ＲＯＭ
１１４  ＤＶＤ
１１５  ＤＶＤドライブ
１１６  Ｆｌａｓｈ  ＲＯＭ
１１７  ＢＵＳ
１１８  システムマイコン
２０１  アプリケーション部
２０１  デバイスドライバ部
２０３  ファイルアクセス部
２０４  記録再生制御部
２０５  編集制御部
２０６  ＵＤ＿ＰＧＣ解析部
２０７  ＯＲＧ＿ＰＧＣ編集部
【図１】
2006186424.tif 000003
【図２】
2006186424.tif 000004
【図３】
2006186424.tif 000005
【図４】
2006186424.tif 000006
【図５】
2006186424.tif 000007
【図６】
2006186424.tif 000008
【図７】
2006186424.tif 000009
【図８】
2006186424.tif 000010
【図９】
2006186424.tif 000011
【図１０】
2006186424.tif 000012
【図１１】
2006186424.tif 000013
【図１２】
2006186424.tif 000014
【図１３】
2006186424.tif 000015
【図１４】
2006186424.tif 000016